(57)【要約】【課題】スライド再生中に自分の見たい画像に自在にスキップすることができる画像表示装置、その画像表示装置における画像表示方法および画像表示装置を画像表示装置として動作させるプログラムを提供する。【解決手段】第１の表示領域１２５０にスライド再生中の画像の周縁の第２の領域１２５１に、今後表示される予定のサムネイル画像を並べて表示し、さらに第２の表示領域の特定の位置のサムネイル画像にカーソル１２５２を表示する。コマ送り操作を受けて、カーソルが表示されている位置のサムネイル画像を順次に変更するとともに、その変更に応じてカーソルが表示されている位置のサムネイル画像に対応する画像を第１の表示領域１２５０に表示する。コマ送り操作が行われなくなったときには、カーソルが表示されている位置の画像を先頭としてその画像以降の画像を第１の表示領域１２５０に順次にスライド再生する。【選択図】図３
2010102178.tif 000002
【特許請求の範囲】
【請求項１】
画像を表示する表示画面を備えた画像表示装置であって、
順序づけられた複数の画像を取得する取得手段と、
前記取得手段で取得した画像を前記表示画面上の第１の表示領域に順次に表示するとともに前記複数の画像のうちの少なくとも一部の複数の画像を表わす複数のサムネイル画像を前記第１の表示領域を除く第２の表示領域に並べて表示する表示制御手段と、
前記第２の表示領域に表示された複数のサムネイル画像のうちの１つのサムネイル画像の指定操作を受ける指定手段とを備え、
前記表示制御手段は、前記指定手段による１つのサムネイル画像の指定を受けて、前記第１の表示領域に、指定を受けたサムネイル画像に対応する画像を先頭として該画像以降に並ぶ画像を順次に表示するものであることを特徴とする画像表示装置。
【請求項２】
前記表示制御手段は、前記第２の表示領域に、前記第１の表示領域に現在表示されている画像に対応するサムネイル画像を表示するとともに、前記第１の表示領域に今後表示される予定の画像に対応するサムネイル画像の中から選択された１つ以上のサムネイル画像を表示することを特徴とする請求項１記載の画像表示装置。
【請求項３】
前記指定手段は、前記表示制御手段に、前記第２の表示領域のうちの特定の位置に表示されているサムネイル画像に該サムネイル画像が選択されていることを表わすカーソルを表示させ、コマ送り操作を受けて複数表示されているサムネイル画像の表示位置を順送りに移動させることにより該カーソルが表示されている位置に移動したサムネイル画像の指定を受けるものであり、
前記表示制御手段は、前記第２の表示領域のうちの該カーソルが表示されている位置に移動したサムネイル画像に対応する画像を前記第１の表示領域に表示するものであることを特徴とする請求項１記載の画像表示装置。
【請求項４】
前記第１の表示領域は、前記表示画面のアスペクト比と同一のアスペクト比を有する領域であることを特徴とする請求項１から３のうちのいずれか１項記載の画像表示装置。
【請求項５】
画像を表示する表示画面を備えた画像表示装置における画像表示方法であって、
順序づけられた複数の画像を取得する取得ステップと、
前記取得ステップで取得した画像を前記表示画面上の第１の表示領域に順次に表示するとともに前記複数の画像のうちの少なくとも一部の複数の画像を表わす複数のサムネイル画像を前記第１の表示領域を除く第２の表示領域に並べて表示する第１の表示ステップと、
前記第２の表示領域に表示された複数のサムネイル画像のうちの１つのサムネイル画像の指定操作を受ける指定受付ステップと、
前記指定ステップにおける１つのサムネイル画像の指定を受けて、前記第１の表示領域に、指定を受けたサムネイル画像に対応する画像を先頭として該画像以降に並ぶ画像を順次に表示する第２の表示ステップとを有することを特徴とする画像表示方法。
【請求項６】
前記第１の表示ステップは、前記第２の表示領域に、前記第１の表示領域に現在表示されている画像に対応するサムネイル画像を表示するとともに、前記第１の表示領域に今後表示される予定の画像に対応するサムネイル画像の中から選択された１つ以上のサムネイル画像を表示することを特徴とする請求項５記載の画像表示方法。
【請求項７】
前記指定受付ステップは、コマ送り操作を受けて複数表示されているサムネイル画像の表示位置を順送りに移動させることにより前記第２の表示領域のうちの所定位置に移動したサムネイル画像の指定を受けるものであり、
前記第２の表示ステップは、前記第２の表示領域のうちの所定位置に移動したサムネイル画像に対応する画像を前記第１の表示領域に表示するものであることを特徴とする請求項５記載の画像表示方法。
【請求項８】
前記第１の表示領域は、前記表示画面のアスペクト比と同一のアスペクト比を有する領域であることを特徴とする請求項５から７のうちのいずれか１項記載の画像表示方法。
【請求項９】
画像を表示する表示画面を備えた画像表示装置内で実行され、該画像表示装置を、
順序づけられた複数の画像を取得する取得手段と、
前記取得手段で取得した画像を前記表示画面上の第１の表示領域に順次に表示するとともに前記複数の画像のうちの少なくとも一部の複数の画像を表わす複数のサムネイル画像を前記第１の表示領域を除く第２の表示領域に並べて表示する表示制御手段と、
前記第２の表示領域に表示された複数のサムネイル画像のうちの１つのサムネイル画像の指定操作を受ける指定手段とを備え、
前記表示制御手段は、前記指定手段による１つのサムネイル画像の指定を受けて、前記第１の表示領域に、指定を受けたサムネイル画像に対応する画像を先頭として該画像以降に並ぶ画像を順次に表示する画像表示装置として動作させることを特徴とする画像表示プログラム。
【請求項１０】
前記表示制御手段は、前記第２の表示領域に、前記第１の表示領域に現在表示されている画像に対応するサムネイル画像を表示するとともに、前記第１の表示領域に今後表示される予定の画像に対応するサムネイル画像の中から選択された１つ以上のサムネイル画像を表示することを特徴とする請求項９記載の画像表示プログラム。
【請求項１１】
前記指定手段は、前記表示制御手段に、前記第２の表示領域のうちの特定の位置に表示されているサムネイル画像に該サムネイル画像が選択されていることを表わすカーソルを表示させ、コマ送り操作を受けて複数表示されているサムネイル画像の表示位置を順送りに移動させることにより該カーソルが表示されている位置に移動したサムネイル画像の指定を受けるものであり、
前記表示制御手段は、前記第２の表示領域のうちの該カーソルが表示されている位置に移動したサムネイル画像に対応する画像を前記第１の表示領域に表示するものであることを特徴とする請求項９記載の画像表示プログラム。
【請求項１２】
前記第１の表示領域は、前記表示画面のアスペクト比と同一のアスペクト比を有する領域であることを特徴とする請求項９から１１のうちのいずれか１項記載の画像表示プログラム。
【発明の詳細な説明】
【技術分野】
【０００１】
本発明は、画像を表示する画像表示装置、その画像表示装置における画像表示方法、および画像表示装置を画像表示装置として動作させる画像表示プログラムに関する。
【背景技術】
【０００２】
最近の画像再生装置には、順序付けられた複数の画像を順送りに再生表示するスライドショーと呼ばれる再生表示機能（以降においてはこの‘スライドショーと呼ばれる再生表示機能’を単にスライド再生ということがある）が搭載されているものが多い（例えば特許文献１〜３）。このスライド再生を行なうと、連続的に撮影した複数の画像や、関連のある複数の画像を表示画面上に順送りに表示することができる。上記特許文献の中には、スライド再生中に別のスライド再生への変更が行なわれるものやスライド再生中に画像のプリント予約が行なわれるものなどがある。
【０００３】
ところで、このスライド再生を用いるユーザの中には、スライド再生中に、スライド再生の後半に位置する画像を見たいと思ったり、コマ送りが終了した後の画像をもう一度見たいと思ったりする人がいる。
【０００４】
しかし、スライド再生の場合には、決められた順序どおりに１コマづつ画像が表示されるため、後半に位置する画像を見るためにはその後半に位置する画像の順番がくるまで最初から順番に画像を見なければならない。また、ユーザが、スライド再生中に直前に再生表示された画像をもう一度見たいと思ったときには、一旦スライド再生を終了させて、最初からスライド再生を行なわなければならない。
【特許文献１】特開２００２−１５２５５７号公報
【特許文献２】特開２００６−１７３９８５号公報
【特許文献３】特開２００７−１７８８３９号公報
【発明の開示】
【発明が解決しようとする課題】
【０００５】
本発明は、上記事情に鑑み、スライド再生中に自分の見たい画像に自在にスキップすることができる画像表示装置、その画像表示装置における画像表示方法および画像表示装置を画像表示装置として動作させるプログラムを提供することを目的とするものである。
【課題を解決するための手段】
【０００６】
上記目的を達成するための本発明の画像表示装置は、
画像を表示する表示画面を備えた画像表示装置であって、
順序づけられた複数の画像を取得する取得手段と、
上記取得手段で取得した画像を上記表示画面上の第１の表示領域に順次に表示するとともに上記複数の画像のうちの少なくとも一部の複数の画像を表わす複数のサムネイル画像を、上記表示画面上の上記第１の表示領域を除く第２の表示領域に並べて表示する表示制御手段と、
上記第２の表示領域に表示された複数のサムネイル画像のうちの１つのサムネイル画像の指定操作を受ける指定手段とを備え、
上記表示制御手段は、上記指定手段による１つのサムネイル画像の指定を受けて、上記第１の表示領域に、指定を受けたサムネイル画像に対応する画像を先頭としてその画像以降に並ぶ画像を順次に表示するものであることを特徴とする。
【０００７】
上記本発明の画像表示装置によれば、上記表示制御手段によって、上記第１の表示領域に、上記取得手段で取得された複数の画像が順次に表示されるとともに、上記第２の表示領域に、複数の画像のうちの少なくとも一部の複数の画像を表わす複数のサムネイル画像が表示される。
【０００８】
この第２の表示領域に、上記取得手段で取得された複数の画像の一部として、上記表示制御手段が今後表示する予定の画像のサムネイル画像や直前にスライド再生された画像のサムネイル画像を表示したりすると、ユーザは、今後表示される予定の画像へのスキップも、また一度表示された画像へのスキップも簡単に行なうことができる。
【０００９】
ここで、上記表示制御手段は、上記第２の表示領域に、上記第１の表示領域に現在表示されている画像に対応するサムネイル画像を表示するとともに、上記第１の表示領域に今後表示される予定の画像に対応するサムネイル画像の中から選択された１つ以上のサムネイル画像を表示することが好ましい。
【００１０】
そうすると、ユーザは、現在表示されている画像の後に表示される予定の画像を見て、自分の好きな、今後表示される予定の画像にすぐにスキップすることができる。
【００１１】
また上記指定手段は、上記表示制御手段に、上記第２の表示領域のうちの特定の位置に表示されているサムネイル画像にそのサムネイル画像が選択されていることを表わすカーソルを表示させ、コマ送り操作を受けて複数表示されているサムネイル画像の表示位置を順送りに移動させることによりそのカーソルが表示されている位置に移動したサムネイル画像の指定を受けるものであり、
上記表示制御手段は、上記第２の表示領域のうちのカーソルが表示されている位置に移動したサムネイル画像に対応する画像を上記第１の表示領域に表示するものであることが好ましい。
【００１２】
そうすると、ユーザがコマ送り操作をしているときに、カーソルが表示されている上記第２の表示領域の特定の位置のサムネイル画像が順送りに変更されるとともに、その特定の位置のサムネイル画像の変更に応じて第１の表示領域の画像も順送りに変更される。
【００１３】
このためユーザは、サムネイル画像をコマ送りしている最中にコマ送りの状態を、上記第１の表示領域の、上記カーソルが表示されている位置のサムネイル画像に対応する画像で確認することができる。
【００１４】
さらに上記第１の表示領域は、上記表示画面のアスペクト比と同一のアスペクト比を有する領域であることが好ましい。
【００１５】
そうすると、上記第１の表示領域のサイズが一定のサイズに保たれて画像が常に見易くなる。
【００１６】
また上記目的を達成する本発明の画像表示方法は、
画像を表示する表示画面を備えた画像表示装置における画像表示方法であって、
順序づけられた複数の画像を取得する取得ステップと、
上記取得ステップで取得した画像を上記表示画面上の第１の表示領域に順次に表示するとともに上記複数の画像のうちの少なくとも一部の複数の画像を表わす複数のサムネイル画像を上記第１の表示領域を除く第２の表示領域に並べて表示する第１の表示ステップと、
上記第２の表示領域に表示された複数のサムネイル画像のうちの１つのサムネイル画像の指定操作を受ける指定受付ステップと、
上記指定ステップにおける１つのサムネイル画像の指定を受けて、上記第１の表示領域に、指定を受けたサムネイル画像に対応する画像を先頭としてその画像以降に並ぶ画像を順次に表示する第２の表示ステップとを有することを特徴とする。
【００１７】
ここで、上記第１の表示ステップは、上記第２の表示領域に、上記第１の表示領域に現在表示されている画像に対応するサムネイル画像を表示するとともに、上記第１の表示領域に今後表示される予定の画像に対応するサムネイル画像の中から選択された１つ以上のサムネイル画像を表示することが好ましい。
【００１８】
また、上記指定受付ステップは、コマ送り操作を受けて複数表示されているサムネイル画像の表示位置を順送りに移動させることにより上記第二の表示領域農地の所定位置に移動したサムネイル画像の指定を受けるものであり、
上記第２の表示ステップは、上記第２の表示領域のうちの所定位置に移動したサムネイル画像に対応する画像を上記第１の表示領域に表示するものであることが好ましい。
【００１９】
さらに、上記第１の表示領域は、上記表示画面のアスペクト比と同一のアスペクト比を有する領域であることが好ましい。
【００２０】
さらに、上記目的を達成する本発明の上記画像表示プログラムは、
画像を表示する表示画面を備えた画像表示装置内で実行され、その画像表示装置を、
順序づけられた複数の画像を取得する取得手段と、
上記取得手段で取得した画像を上記表示画面上の第１の表示領域に順次に表示するとともに上記複数の画像のうちの少なくとも一部の複数の画像を表わす複数のサムネイル画像を上記第１の表示領域を除く第２の表示領域に並べて表示する表示制御手段と、
上記第２の表示領域に表示された複数のサムネイル画像のうちの１つのサムネイル画像の指定操作を受ける指定手段とを備え、
上記表示制御手段は、上記指定手段による１つのサムネイル画像の指定を受けて、上記第１の表示領域に、指定を受けたサムネイル画像に対応する画像を先頭としてその画像以降に並ぶ画像を順次に表示する画像表示装置として動作させることを特徴とする。
【００２１】
また、上記表示制御手段は、上記第２の表示領域に、上記第１の表示領域に現在表示されている画像に対応するサムネイル画像を表示するとともに、上記第１の表示領域に今後表示される予定の画像に対応するサムネイル画像の中から選択された１つ以上のサムネイル画像を表示することが好ましい。
【００２２】
また上記指定手段は、上記表示制御手段に、上記第２の表示領域のうちの特定の位置に表示されているサムネイル画像にそのサムネイル画像が選択されていることを表わすカーソルを表示させ、コマ送り操作を受けて複数表示されているサムネイル画像の表示位置を順送りに移動させることによりそのカーソルが表示されている位置に移動したサムネイル画像の指定を受けるものであり、
上記表示制御手段は、上記第２の表示領域のうちのそのカーソルが表示されている位置に移動したサムネイル画像に対応する画像を上記第１の表示領域に表示するものであることが好ましい。
【００２３】
また、上記第１の表示領域は、上記表示画面のアスペクト比と同一のアスペクト比を有する領域であることが好ましい。
【発明の効果】
【００２４】
以上説明した様に、スライド再生中に自分の見たい画像に自在にスキップすることができる画像表示装置、画像表示装置における画像表示方法および画像表示装置を画像表示装置として動作させる画像表示プログラムが実現する。
【発明を実施するための最良の形態】
【００２５】
以下図面を参照して本発明の実施の形態を説明する。
【００２６】
図１は、本発明の画像表示装置の一実施形態であるデジタルカメラ１の外観を示す図である。図１のデジタルカメラ１は撮影モードと再生モードとを有しており、再生モードに切り替えられたときのこのデジタルカメラ１が、本発明にいう画像表示装置の一例を構成することになる。
【００２７】
図１（ａ）には、デジタルカメラ１を正面から見た図が示されており、図１（ｂ）には、デジタルカメラ１を背面から見た図が示されている。
【００２８】
図１（ａ）に示すように、ボディ１ａの中央には撮影レンズ１１０１が備えられており、その撮影レンズ１１０１の右斜め上方には発光窓１９０Ａが備えられている。さらにボディ１ａ上  面にはレリーズボタン１０ａなどが備えられている。また、図１（ｂ）に示すように、ボディ１ａ背面には表示画面１２５Ａが備えられており、その表示画面１２５Ａの隣にはメニューを表示画面１２５Ａ上に表示するときに操作されるＭＥＮＵ／ＯＫ釦１０ｂやそのメニュー内のいずれかの項目を選択するときに操作される十字キー１０ｃや、表示画面１２５Ａを非表示にしたり表示にしたりする時に操作されるＤＩＳＰ／ＢＡＣＫボタン１０ｄや表示画面１２５Ａ上に既撮影画像を再生表示するときに操作される再生釦１０ｅやズームスイッチ１０ｆなどの操作子が備えられている。尚以降においては、これらの操作子をまとめて操作子群１０と記載することがある。また本実施形態では、本発明にいう表示画面の一例が表示画面１２５Ａで構成されている。
【００２９】
図２は、図１のデジタルカメラ１の内部の構成を示すブロック図である。
【００３０】
図２に示す様に、本実施形態のデジタルカメラ１の動作は、ＣＰＵ１００によって統括的に制御されており、そのＣＰＵ１００にはアドレスバス１０４Ａとデータバス１０４Ｄを介してメインメモリ１００Ｂが接続されている。このメインメモリ１００Ｂ内にプログラムが書き込まれている。本実施形態のデジタルカメラ１においては電源が投入されたことを受けてＣＰＵ１００がそのメインメモリ１００Ｂにメモリ制御部１００Ａを介してアクセスして内部のプログラムの手順にしたがってこのデジタルカメラ１の動作の制御を開始する。
【００３１】
ここで、まず撮影モードのときの動作を説明する。
【００３２】
図２の左側の撮影レンズ１１０１で捉えられている被写体を表わす画像データが、右側の記録メディア１２８に記録されるので、図２の左側にある構成要素から順に説明していく。
【００３３】
図２の左側にある撮影光学系内の撮影レンズ１１０１で捉えられている被写体がＣＣＤ１１０４に結像される。このときには、フォーカスと露出が調整された被写体光をＣＣＤ１１０４に結像させる必要があるので、後述する積算部１２９の積算結果に基づいてＣＰＵ１００によって絞り駆動部１０２が制御され撮影光学系内の絞り１１０２の径が変更され露出調節が行なわれるとともに、ＣＰＵ１００によってレンズ駆動部１０１が制御され撮影レンズ１１０１の中のフォーカスレンズのフォーカス位置が調整されることによりピント調整が行なわれる。
【００３４】
なお、本実施形態においては、撮影レンズ１１０１を備える撮影光学系内に光学ローパスフィルタや赤外線カットフィルタ等のフィルタ１１０３を挿入してエリアシングなどの発生を抑制したり、ＣＣＤ１１０４（本例ではＣＣＤ固体撮像素子）の赤外線側の感度が高いので赤外線の悪影響を防止したりしている。
【００３５】
こうして撮影レンズ１１０１が向けられている方向の被写体がＣＣＤ１１０４に結像されＣＣＤ１１０４で被写体を表わす画像データが生成されてＣＣＤ１１０４から被写体を表わす画像データがアナログ信号処理部側１２１へと出力される。
【００３６】
図１に示すようなデジタルカメラにおいては背面側の表示画面１２５Ａがファインダ代わりに用いられるので表示画面１２５Ａ上に動画を表示するために電源が投入されたときにＣＰＵ１００は撮像素子駆動部１０３に指示して所定の間隔ごとにＣＣＤ１１０４に画像を生成させてはアナログ信号処理部１２１へと画像データを出力させている。このＣＣＤ１１０４から出力された画像データを受けてアナログ信号処理部１２１では、ノイズ低減処理などが行なわれノイズ低減処理が行われた画像データが後段のＡ／Ｄ１２２でデジタル信号の画像データに変換されて画像データがデータバス１０４Ｄ上に導かれる。
【００３７】
データバス１０４Ｄ上に導かれた画像データは、まずデジタル信号処理部１２３内のフレームメモリにすべて転送される。このデジタル信号処理部１２３では、ＲＧＢ信号からＹＣ信号への変換などの処理が行なわれＹＣ信号に変換された画像データがＣＰＵ１００の制御の下に表示制御部１２４内の表示バッファメモリ（不図示）に転送される。そして表示制御部１２４の制御の下に表示部１２５が備える表示画面１２５Ａ上に画像データに基づく画像が表示される。ＣＰＵ１００は、前述した様に撮像素子駆動部１０３に指示してＣＣＤ１１０４に所定の間隔ごとに画像を生成させては出力させているので、表示制御部１２４内の画像バッファメモリの内容が所定の間隔ごとに書き換えられることにより表示画面上の画像が次々に切り替えられて表示部１２５が備える表示画面１２５Ａ上には撮影レンズ１１０１が捉えている被写体像（以降スルー画という）が表示される。
【００３８】
ここで、その表示画面１２５Ａ上のスルー画を見ながらシャッタチャンスにレリーズボタン１０ａが押されると、まずレリーズボタン１０ａが半押しされたときにＣＰＵ１００が積算部１２９に測光および測距を行なわせて測光結果と測距結果を受け取って絞り駆動部１０２に指示して絞りの径を調節させるとともにレンズ駆動部１０１に指示してフォーカスレンズを合焦位置に移動させてピント調整を行なわせる。
【００３９】
続いて全押しされたときにＣＰＵ１００は、積算部１２９で積算された結果に基づいて半押し時に予め算出しておいたシャッタ速度で撮像素子駆動部１０３に指示してＣＣＤ１１０４に露光を行なわせ露光終了後に被写体を表わす画像データをアナログ信号処理部１２１へと出力させる。このとき、ＣＰＵ１００が被写界輝度が暗いと判定した場合には、不図示の発光手段に発光を行なわせて、発光窓１９０Ａから撮影補助光を被写体に向けて照射させ撮影が行なわれる。
【００４０】
ＣＣＤ１１０４から出力された画像データがアナログ信号処理部１２１へ供給されると、アナログ信号処理部１２１では、ノイズ低減処理などが行なわれ、Ａ／Ｄ１２２でデジタル信号に変換された画像データがデータバス１０４Ｄ上に導かれ、データバス側に導かれた画像データがデジタル信号処理部１２３内のフレームメモリ内にすべて導かれる。
【００４１】
デジタル信号処理部１２３ではＹＣ変換処理などの信号処理が行なわれ、デジタル信号処理部１２３で信号処理が行なわれた後、今度はデータバス１０４Ｄを経由してアドレスバス１０４Ａのアドレス指定に基づいて圧縮伸張処理部１２６に画像データが転送され、この圧縮伸張処理部１２６で画像データが圧縮処理される。さらに圧縮処理された画像データが同様に外部メモリ制御部１２７に転送され外部メモリ制御部１２７の制御の下に記録メディア１２８に記録される。
【００４２】
次に再生時の画像データの流れを説明する。
【００４３】
本実施形態のデジタルカメラ１には、再生時に表示用のバッファとしても用いられる画像処理部１３０が備えられている。この画像処理部１３０は再生ボタン１０ｅが操作されたときにＣＰＵ１００からの指示を受けて記録メディア１２８から画像を読み出し、必要であれば読み出した画像に加工を施してから表示制御部１２４に出力する。表示制御部１２４は、画像処理部１３０からの画像データを受け取って表示部の表示画面上に画像を表示する。
【００４４】
以上が本実施形態のデジタルカメラ１の主な動作である。
【００４５】
ここで、本実施形態のデジタルカメラ１には、上述のスライド再生機能が配備されており、再生ボタンが押されさらにメニューボタン１０ｂが押されると、メニュー画面が表示され、さらに、そのメニュー画面の中の『再生』という項目の中の‘スライドショー’が選択されると、記録メディア１２８内のすべての画像が撮影時刻順にスライド再生される構成になっている。
【００４６】
図３は、スライド再生が行なわれているときの表示画面１２５Ａの状態を説明する図である。図３（Ａ）には、スライド再生が行なわれている状態が示されており、図３（Ｂ）には、第１の表示領域１２５０を除く周縁の第２の表示領域に、今後表示される予定の画像に対応するサムネイル画像の中から選択された１つ以上のサムネイル画像が並べて配置された例が示されている。なお、第１の表示領域にスライド再生されている画像の見易さを確保するために第１の表示領域１２５０のサイズは、表示画面１２５Ａのアスペクト比と同一のアスペクト比で構成されている。
【００４７】
図３（Ａ）に示す様に、表示画面１２５Ａの第１の表示領域１２５０には、ＣＰＵ１００と外部メモリ制御部１２７とが連携して記録メディア１２８から取得した、撮影時刻順の複数の画像のスライド再生が行なわれる。このときには、その第１の領域１２５０の画像は、周縁の第２の領域１２５１に並べられたサムネイル画像の上にかぶさるように表示されており、第２の領域１２５１のサムネイル画像はその一部のみが見える「非表示状態」になっている。
【００４８】
この図３（Ａ）の状態にあるときに、左キー１０２ｃ又は右キー１０１ｃが操作されると、第２の領域１２５１の複数のサムネイル画像１２５１Ａの表示がアクティブ状態になって表示画面１２５Ａ上の表示が図３（ｂ）のように変化する。より詳細には、第２の表示領域１２５１の各サムネイル画像の全体が表示されるよう、第１の表示領域１２５０の画像が縮小する。
【００４９】
このときにはＣＰＵ１００が表示制御部１２４に指示して、第２の領域１２５１の特定の位置に表示されているサムネイル画像にそのサムネイル画像が選択されていることを表わすカーソル１２５２（図３（ｂ）の左斜め上隅）をあわせて表示させる。
【００５０】
さらにユーザの、十字キーの左キー１０２ｃ又は右キー１０１ｃのコマ送り操作を受けて、ＣＰＵ１００は、複数表示されているサムネイル画像１２５１Ａの表示位置を順送りに移動させることによりそのカーソル１２５２が表示されている位置に移動したサムネイル画像の指定を受けて、第１の領域１２５０に、そのカーソル１２５２が表示されている位置に移動したサムネイル画像に対応する画像をコマ送り操作に応じて次々に表示する。
【００５１】
つまり、十字キー１０ｃの左キー１０２ｃ又は右キー１０１ｃのコマ送り操作により早送り、早戻しが行なわれていることを受けてＣＰＵ１００と画像処理部１３０とが連携して表示制御部１２４を制御して、表示画面１２５Ａ上の複数のサムネイル画像の表示位置を順送りに移動させることによりカーソルが表示されている位置にサムネイル画像を次々に移動させるとともに、第１の表示領域１２５０に、カーソル１２５２が表示されている位置のサムネイル画像に対応する画像を表示する処理を実行する。
【００５２】
本実施形態においては、ＣＰＵ１００と画像処理部１３０と記録メディア１２８とが本発明にいう取得手段の一例を構成し、ＣＰＵ１００と画像処理部１３０と表示制御部１２４とが本発明にいう表示制御手段の一例を構成し、ＣＰＵ１００と表示制御部１２４と十字キーの左キー１０２ｃ又は右キー１０１ｃとが本発明にいう指定手段の一例を構成する。
【００５３】
いままで説明してきたＣＰＵ１００と画像処理部１３０とが連携して表示制御部１２４を制御して実行する処理を、図４のフローを用いて分かり易く説明する。
【００５４】
図４は、ＣＰＵ１００と画像処理部１３０と表示制御部１２４が連携して実行するスライド再生処理の処理手順を示すフローチャートである。
【００５５】
まず、ステップＳ４０１で、ＣＰＵ１００は再生ボタン１０ｅの操作を受けて外部メモリ制御部１２７に指示して記録メディア１２８から画像を取得させた後、画像処理部１３０と表示制御部１２４とに指示してスライド再生を開始させる。ステップＳ４０２でＣＰＵ１００が内部のタイマカウント値を参照して一定時間が経過したことを判定すると、ステップＳ４０２へ進み画像処理部１３０と表示制御部１２４とに指示して次の画像への切替を実行させ（ステップＳ４０３）、ＣＰＵ１００と画像処理部１３０と表示制御部１２４とが連携してステップＳ４０２とステップＳ４０３の処理を繰り返すことでスライド再生を実施する。ここで、ステップＳ４０１を経て実行されるステップＳ４０２、Ｓ４０３が本発明にいう第１の表示ステップに相当する。また、ステップＳ４０１が、本発明にいう取得ステップに相当する。
【００５６】
まだステップＳ４０２でＣＰＵ１００がタイマカウント値を参照して一定時間が経過しないうちは、ステップＳ４０４とステップＳ４０５とで、左キー１０２ｃ又は右キー１０１ｃと、キャンセルキー１０ｇとのうちのいずれかが操作されたことによるイベントの発生があったかどうかを判定する。
【００５７】
ここでキャンセルキー１０ｇが操作されると、ステップＳ４０５で‘終了’というイベントの発生があったと判定してこのフローの処理を終了する。
【００５８】
また、左キー１０２ｃ又は右キー１０１ｃのうちのいずれか操作されると、ステップＳ４０４で‘早戻し’あるいは‘早送り’のイベントの発生があったと判定してＹｅｓ側へ進んでステップＳ４０６でサムネイル画像一覧の表示を図３（ａ）の非表示状態から図３（ｂ）に示すアクティブ状態に変更し、ステップＳ４０７で、サムネイル画像を囲む枠カーソルを特定の位置（図３（ｂ）の斜め左上）に表示する。
【００５９】
その後はステップＳ４０８からステップＳ４１３までの処理を繰り返し実行し、一定の時間が経過しないうちの、左キー１０２ｃか右キー１０１ｃ又はキャンセルキー１０ｇが操作されるのを待つ。
【００６０】
ステップＳ４１０で一定の時間が経過していないうちに左キー１０２ｃ又は右キー１０１ｃが操作され‘早戻し’あるいは‘早送り’のイベントの発生があったと判定すると、Ｙｅｓ側へ進んで、ステップＳ４１１で複数表示されているサムネイル画像の表示位置を順送りに移動させることによりカーソルが表示されている位置のサムネイル画像を変更し、次のステップＳ４１２でそのカーソル１２５２が表示されている位置のサムネイル画像に対応する画像を第１の表示領域１２５０に表示する。ここではまだキャンセルキー１０ｇが操作されていないとしてステップＳ４０８に戻ってステップＳ４０８からステップＳ４１３の処理を繰り返す。
【００６１】
このときにキャンセルキー１０ｇが操作されると、ステップＳ４１３で‘終了’のイベントの発生があったと判定してこのフローの処理を終了する。
【００６２】
さらにステップＳ４０８で一定の時間が経過しても何の操作も行なわれないと判定すると、ステップＳ４０９へ進んで、ステップＳ４０７の処理状況とステップＳ４１１との双方の処理状況に応じて、カーソル１２５２が表示されている位置のサムネイル画像に対応する画像を先頭画像とするスライド再生を再開する。つまり、ステップＳ４１１でスキップの処理が実行されているときは、スキップされた画像からスライドショーを再開する。そしてステップＳ４０２に戻ってステップＳ４０２からステップＳ４０５の一連の処理を繰り返し実行し、キャンセルキー１０ｇが操作され‘終了’というイベントの発生があったとステップＳ４０５で判定すると、このフローの処理を終了する。ここで、ステップＳ４０９を経た後のステップＳ４０１、Ｓ４０２が本発明にいう第２の表示ステップに相当し、ステップＳ４１０からステップＳ４１２までの処理が、本発明にいう指定受付ステップに相当する。
【００６３】
このフローの処理をＣＰＵ１００と画像処理部１３０と表示制御部１２４とが連携して実行すると、スライド再生中に早送りや早戻しを行なうことができる。その結果、ユーザは左キー１０２ｃ又は右キー１０１ｃを操作して早戻しや早送りを行なうことで自分の好きな画像にいつでも簡単にスキップすることが可能となる。
【００６４】
以上説明した様に、スライド再生の最中に自分の見たい画像に自在にスキップすることができる画像表示装置、画像表示方法および画像表示装置を画像表示装置として動作させるプログラムが実現する。
【図面の簡単な説明】
【００６５】
【図１】本発明の画像表示装置の一実施形態であるデジタルカメラ１の外観を示す図である。
【図２】図１のデジタルカメラ１の内部の構成を示すブロック図である。
【図３】スライド再生が行なわれているときの表示画面１２５Ａの状態を説明する図である。
【図４】ＣＰＵ１００と画像処理部１３０と表示制御部１２４が連携して実行するスライド再生処理の処理手順を示すフローチャートである。
【符号の説明】
【００６６】
１    デジタルカメラ
１０    操作子群
１０ａ    レリーズボタン
１０ｂ    ＭＥＮＵ／ＯＫ釦
１０ｃ    十字キー
１０ｄ    ＤＩＳＰ／ＢＡＣＫ釦
１０ｅ    再生釦
１０ｆ    ズームスイッチ
１００    ＣＰＵ
１００Ａ    メモリ制御部
１００Ｂ    メインメモリ（プログラムメモリ）
１００Ｃ    時計
１０１    レンズ駆動部
１０２    絞り駆動部
１０３    撮像素子駆動部
１１０１    撮影レンズ
１１０２    絞り
１１０３    フィルタ
１１０４    ＣＣＤ固体撮像素子
１２１    アナログ信号処理部
１２２    Ａ／Ｄ
１２３    デジタル信号処理部
１２４    表示制御部
１２５    表示部
１２６    圧縮伸張処理部
１２７    外部メモリ制御部
１２８    記録メディア
１２９    積算部
１３０    画像処理部
【図１】
2010102178.tif 000003
【図２】
2010102178.tif 000004
【図３】
2010102178.tif 000005
【図４】
2010102178.tif 000006